(57)【要約】【課題】  コンテンツ信号記録領域の内周側に参照情報記録領域が設けられたディスクから、コンテンツ信号と参照情報の両方を読み取ることが可能なディスクプレーヤを提供する。【解決手段】  本発明に係るディスクプレーヤは、信号読み取り位置がコンテンツ信号記録領域と参照情報記録領域の中間位置に達したことを検知するスイッチ74を具え、参照情報記録領域から情報を読み取るべき指令が発せられたときにスイッチ74による検知から一定時間だけピックアップ４をディスク内周側へ移動させ、ピックアップ４が参照情報記録領域との対向位置に達したときに該ピックアップ４の更なる移動をストッパー61によって制止する。【選択図】      図７
2005174453.tif 000002
【特許請求の範囲】
【請求項１】
コンテンツ信号記録領域の内周側に参照情報記録領域が設けられたディスクを対象として、該ディスクを回転駆動するターンテーブル(９)と、回転するディスクから信号を読み取るピックアップ(４)と、ラック(５)とピニオン(73)の噛合によってピックアップ(４)をコンテンツ信号記録領域と参照情報記録領域に跨ってディスク半径方向に往復駆動するピックアップ駆動装置(７)と、ラック(５)に過大な力が作用したときにラック(５)とピニオン(73)の噛合を解除する噛合解除機構(３)とを具えたディスクプレーヤにおいて、
ピックアップ(４)による信号読み取り位置がディスクのコンテンツ信号記録領域と参照情報記録領域の中間位置に達したことを検知する検知手段と、
参照情報記録領域から情報を読み取るべき指令が発せられたときに前記検知手段による検知から一定時間だけピックアップ駆動装置(７)を動作させてピックアップ(４)をディスク内周側へ移動させる駆動制御手段と、
ピックアップ(４)がディスクの参照情報記録領域からの信号読み取り位置に達したときに該ピックアップ(４)の更なる移動を制止するストッパー(61)と、
ピックアップ(４)の移動がストッパー(61)によって制止された状態で噛合解除機構(３)の動作に規制を加える噛合解除規制機構(６)
とを設けたことを特徴とするディスクプレーヤ。
【請求項２】
噛合解除機構(３)は、ピックアップ(４)のベース(40)上に、ラック(５)をピニオン(73)から離間可能に支持すると共にラック(５)をピニオン(73)側へ弾性付勢して構成される請求項１に記載のディスクプレーヤ。
【請求項３】
噛合解除規制機構(６)は、ピックアップ(４)の移動がストッパー(61)によって制止された状態でラック(５)のディスク内周側の端部に係合して、該端部がピニオン(73)から離間する方向に移動することを阻止するものである請求項１又は２に記載のディスクプレーヤ。
【請求項４】
駆動制御手段は、前記検知手段による検知から一定時間だけピックアップ(４)をディスクの参照情報記録領域へ移動させる際の駆動電圧を、ピックアップ(４)をディスクのコンテンツ信号記録領域にて往復移動させる際の駆動電圧よりも低下させる請求項１乃至請求項３の何れかに記載のディスクプレーヤ。
【請求項５】
前記一定時間は、ピックアップ(４)の移動がストッパー(61)によって制止されるまでピックアップ(４)をディスク内周側へ移動させるのに必要な時間以上に設定されている請求項３に記載のディスクプレーヤ。
【発明の詳細な説明】
【技術分野】
【０００１】
本発明は、光ディスク等のディスク状記録媒体から信号を読み取って音声及び／又は映像として再生するディスクプレーヤに関するものである。
【背景技術】
【０００２】
ディスクプレーヤは、ディスクを回転駆動するターンテーブルと、回転するディスクから信号を読み取るピックアップと、ラックとピニオンの噛合によってピックアップをディスク半径方向に往復駆動するピックアップ駆動装置とを具え、ディスクの信号面から信号を光学的に読み取るものである。
【０００３】
図１４に示す如く、ディスクＤの信号面には、オーディオ信号やビデオ信号の記録領域Ａが設けられると共に、その内周部には、ディスクの全てのトラックのアドレスが書き込まれたＴＯＣ(Table of contents)領域Ｂが設けられており、これらの記録領域(コンテンツ信号記録領域)をピックアップがディスク半径方向に往復移動して、信号の読み取りが行なわれる。
【０００４】
従来のディスクプレーヤのピックアップ駆動装置においては、図１３に示す如く、ディスク半径方向の往復移動が案内されたピックアップ(４)にラック(５)が取り付けられ、該ラック(５)には、モータ(図示省略)によって回転駆動されるピニオン(73)が噛合している。
又、ディスクプレーヤには、ピックアップ(４)がコンテンツ信号記録領域を通過してディスク内周側まで移動したときにオンとなるスイッチ(74)と、ラック(５)をディスク内周側の移動端で受け止めるストッパー(76)とが配備されており、ピックアップ(４)がディスクのＴＯＣ記録領域を越えて更にディスクの内周側へ移動することを阻止している。
【０００５】
ところで、ピックアップ(４)の位置を高精度に制御するためには、ラック(５)とピニオン(73)の間のバックラッシュを零とする必要がある。そこで、図１３に示すピックアップ駆動装置においては、ピックアップ(４)にバネ片(50)を介してラック(５)を取り付け、バネ片(50)の付勢力によってラック(５)を常にピニオン(73)に押し付けることが行なわれている(特許文献１)。
【０００６】
上記ピックアップ駆動装置を具えたディスクプレーヤにおいては、ディスクプレーヤの落下等による衝撃が加わって、ラック(５)に過大な力が作用した場合、ラック(５)がバネ片(50)の弾性力に抗してピニオン(73)から離れる方向に逃げて、ラック(５)とピニオン(73)の噛合が解除されるので、歯の損傷が防止される。
【特許文献１】特開平９−６３２１３号公報
【発明の開示】
【発明が解決しようとする課題】
【０００７】
近年、光ディスクにおいては、図１４に示す如くディスク信号面のＴＯＣ領域Ｂの更にディスク内周側に、ＢＣＡ(Burst Cutting Area)或いはバーコードエリアと称される参照情報記録領域Ｃが設けられており、ピックアップにより参照情報記録領域Ｃから参照情報を読み取ることによって、例えば各種の情報提供サービスを受けることが可能となる。
【０００８】
この様な参照情報記録領域を有する光ディスクに対応するためには、図１３に示すディスクプレーヤに配備されているスイッチ(74)及びストッパー(76)をディスク内周側へ移設して、ピックアップ(４)が参照情報記録領域からも情報を読み取ることが出来る構成とすればよい。
しかしながら、コンテンツ信号記録領域Ａ及びＢと参照情報記録領域Ｃとでは信号若しくは情報の記録形式が異なるため、コンテンツ信号記録領域におけるピックアップ(４)の移動制御をそのまま参照情報記録領域への移動制御に用いることは出来ない。
仮に、スイッチ(74)がオンとなるまでピックアップ(４)を移動させることとしたとしても、ピックアップ(４)の慣性力によってラック(５)がストッパー(76)に衝突し、その反動によりラック(５)とピニオン(73)の噛み合い位置がずれて、ラック(５)が歯形の１〜数ピッチ分だけ後退し、ピックアップ(４)による信号読み取り位置が参照情報記録領域Ｃからずれる虞がある。然も、この際にラック(５)とピニオン(73)の歯飛びの繰り返しに伴う騒音が発生する問題がある。
【０００９】
そこで本発明の目的は、ディスク信号面のコンテンツ信号記録領域の内周側に参照情報記録領域が設けられたディスクを対象として、該ディスクからコンテンツ信号と参照情報の両方を読み取ることが可能であり、然も参照情報読み取り時に騒音が発生する虞のないディスクプレーヤを提供することである。
【課題を解決するための手段】
【００１０】
本発明に係るディスクプレーヤは、ディスクを回転駆動するターンテーブル(９)と、回転するディスクから信号を読み取るピックアップ(４)と、ラック(５)とピニオン(73)の噛合によってピックアップ(４)をコンテンツ信号記録領域と参照情報記録領域に跨ってディスク半径方向に往復駆動するピックアップ駆動装置(７)と、ラック(５)に過大な力が作用したときにラック(５)とピニオン(73)の噛合を解除する噛合解除機構(３)と、ピックアップ(４)による信号読み取り位置がディスクのコンテンツ信号記録領域と参照情報記録領域の中間位置に達したことを検知する検知手段と、参照情報記録領域から情報を読み取るべき指令が発せられたときに前記検知手段による検知から一定時間だけピックアップ駆動装置(７)を動作させてピックアップ(４)をディスク内周側へ移動させる駆動制御手段と、ピックアップ(４)がディスクの参照情報記録領域からの信号読み取り位置に達したときに該ピックアップ(４)の更なる移動を制止するストッパー(61)と、ピックアップ(４)の移動がストッパー(61)によって制止されている状態で噛合解除機構(３)の動作に規制を加える噛合解除規制機構(６)とを具えている。
【００１１】
上記本発明のディスクプレーヤにおいて、ディスクのコンテンツ信号記録領域から信号の読み取りを行なうべき指令が発せられたときは、ピックアップ駆動装置(７)を動作させて、ピックアップ(４)をディスク内周側へ向けて移動させる。その後、検知手段によってピックアップ(４)による読み取り位置がコンテンツ信号記録領域と参照情報記録領域の中間位置に達したことが検知された時点で、ピックアップ駆動装置(７)の動作を停止させ、或いは一定時間だけ逆向きに動作させた後、コンテンツ信号記録領域からの信号の読み取りに移行する。
【００１２】
これに対し、ディスクの参照情報記録領域から情報の読み取りを行なうべき指令が発せられたときは、ピックアップ駆動装置(７)を動作させて、ピックアップ(４)をディスク内周側へ移動させる。その後、検知手段によって、ピックアップ(４)による読み取り位置がコンテンツ信号記録領域と参照情報記録領域の中間位置に達したことが検知された時点から、更にピックアップ駆動装置(７)を同じ方向に一定時間だけ動作させて、ピックアップ(４)をディスク内周側へ移動させる。ここで一定時間は、ピックアップ(４)の移動がストッパー(61)によって制止されるまでピックアップ(４)をディスク内周側へ移動させるのに必要な時間以上に設定されている。
【００１３】
この結果、ピックアップ(４)の更なる移動がストッパー(61)によって制止され、ピックアップ(４)は参照情報記録領域からの信号読み取り位置に保持される。この際、ピックアップ(４)に大きな衝撃が加わって、噛合解除機構(３)が動作する方向の力が作用したとしても、噛合解除規制機構(６)が噛合解除機構(３)の動作に規制を加えるので、ラック(５)とピニオン(73)の噛合が容易に解除されることはない。従って、ラック(５)とピニオン(73)が歯飛びを繰り返すことによる騒音は発生しない。
【００１４】
尚、ピックアップ(４)の信号読み取り位置がディスクのコンテンツ信号記録領域に存在する状態で、ディスクプレーヤの落下等による衝撃が加わって、ラック(５)に過大な力が作用した場合には、噛合解除機構(３)が動作して、ラック(５)とピニオン(73)の噛合が解除されるので、歯の損傷が防止される。
【００１５】
具体的構成において、噛合解除機構(３)は、ピックアップ(４)のベース(40)上に、ラック(５)をピニオン(73)から離間可能に支持すると共にラック(５)をピニオン(73)側へ弾性付勢して構成される。
該具体的構成においては、噛合解除機構(３)によってラック(５)がピニオン(73)に押し付けられて、バックラッシュが零となる。又、ピックアップ(４)に衝撃力が作用した場合、弾性付勢に抗してラック(５)がピニオン(73)から離間し、両者の噛合が解除されて、歯の損傷が防止される。
【００１６】
又、具体的構成において、噛合解除規制機構(６)は、ピックアップ(４)の移動がストッパー(61)によって制止された状態でラック(５)のディスク内周側の端部に係合して、該端部がピニオン(73)から離間する方向に移動することを阻止するものである。
該具体的構成によれば、ピックアップ(４)に大きな衝撃力が作用した場合に、ラック(５)がディスク内周側の端部を固定端として弾性変形し、その結果、ラック(５)とピニオン(73)の噛合が解除されて、歯の損傷が防止される。
【００１７】
更に具体的な構成において、駆動制御手段は、前記検知手段による検知から一定時間だけピックアップ(４)をディスクの参照情報記録領域へ移動させる際の駆動電圧を、ピックアップ(４)をディスクのコンテンツ信号記録領域にて往復移動させる際の駆動電圧よりも低下させる。
該具体的構成によれば、ピックアップ(４)が参照情報記録領域に向かって移動するときの速度が低くなって、その移動がストッパー(61)によって制止されるときの衝撃力が小さくなるので、ラック(５)の歯面に作用する応力が低下し、ピックアップ駆動装置(７)の長寿命化が図られる。
【発明の効果】
【００１８】
本発明に係るディスクプレーヤによれば、ディスク信号面のコンテンツ信号記録領域の内周側に参照情報記録領域が設けられたディスクを対象として、該ディスクからコンテンツ信号と参照情報の両方を読み取ることが可能であり、然も参照情報読み取り時に騒音が発生する虞はない。
【発明を実施するための最良の形態】
【００１９】
以下、本発明の実施形態につき、図面に沿って具体的に説明する。
図１４に示す如くディスクＤの信号面には、オーディオ信号やビデオ信号(ＡＶ信号)の記録領域Ａが設けられると共に、その内周部には、ディスクの全てのトラックのアドレスが書き込まれたＴＯＣ(Table of contents)領域Ｂが設けられ、これらの記録領域(コンテンツ信号記録領域)の更にディスク内周側に、参照情報記録領域としてバーコードエリアＣが設けられている。
【００２０】
本発明に係るディスクプレーヤは、図１に示す如く、シャーシ(１)上に、ディスクを回転駆動するターンテーブル(９)と、回転するディスクから信号を読み取るピックアップ(４)と、ピックアップ(４)をディスクのＡＶ信号記録領域、ＴＯＣ領域及びバーコードエリアに跨ってディスク半径方向に往復駆動するピックアップ駆動装置(７)とを配備して構成されている。
【００２１】
ピックアップ(４)は、ベース(40)上に対物レンズ(44)を搭載して構成され、シャーシ(１)上に架設された２本の平行な第１レール(21)及び第２レール(22)からなる案内部材(２)により、ディスク半径線に沿って往復移動可能に支持されている。
ターンテーブル(９)は、図６及び図７に示す如くシャーシ(１)裏面に設けたターンテーブル駆動モータ(91)に連繋されている。
【００２２】
図２に示す如く、ピックアップ(４)のベース(40)は、走行方向(矢印Ｘ方向)と直交する方向の両端に上記レール(21)(22)への取付け部(41)(45)を有しており、一方の取付け部(41)は両端に取付け片(42)(43)を有し、第１レール(21)が両取付け片(42)(43)を貫通している。他方の取付け部(45)は第２レール(22)にスライド可能に係合している。
【００２３】
ベース(40)には、第１レール(21)側の取付け部(41)側の端部に、ピックアップ(４)の移動方向に伸びるラック(５)が配備されている。図２及び図４に示す如く、ラック(５)は、後述するバネ部材(８)を取り付けるためのバネ取付け部(51)の長手方向の側縁にラック面(52)を形成し、ラック面(52)の両端部近傍に支持片(53)(54)を突設している。
第１レール(21)がラック(５)の両支持片(53)(54)を貫通しており、前記ピックアップ(４)の取付け部(41)は、ラック(５)の両支持片(53)(54)間にベース(40)のスライド方向に余裕のある状態に嵌まっている。 ラック(５)は、レール(21)を中心に回動可能である。
【００２４】
図１及び図６に示す如く、ピックアップ駆動装置(７)は、モータ(71)に減速ギア列(72)を連繋し、該減速ギア列(72)の最終段のピニオン(73)を上記ラック(５)のラック面(52)に噛合させて構成される。
【００２５】
ラック(５)のバネ取付け部(51)にバネ部材(８)が取り付けられる。図４及び図５に示す如く、バネ部材(８)は１本の金属バネ材を略Ｖ字状に屈曲して形成される。該バネ部材(８)は、ラック(５)のディスク内周側の支持片(53)側に設けた係止部(55)に一端を当て、圧縮状態で他端を相手部材であるベース(40)に当てている。
ラック(５)は、バネ部材(８)がベース(40)を付勢する反力で、ピニオン(73)側へ付勢される。即ち、略Ｖ字状のバネ部材(８)全体が、ラック(５)をピニオン(73)に向かって付勢する第１付勢部(81)となっている。
【００２６】
ラック(５)をレール(21)に回転可能に配備して、ラック(５)をピニオン(73)から離間可能とすると共に、バネ部材(８)によってラック(５)をピニオン(73)側に付勢したことにより、ラック(５)とピニオン(73)の噛合を解除するための噛合解除機構(３)が構成される。即ち、ラック(５)に過大な力が作用した場合、ラック(５)がピニオン(73)から離れる方向に逃げて、両ギアの噛み合いが解除される。
【００２７】
前記バネ部材(８)の係止部(55)側の端部には、ベース(40)をラック(５)との間でがたつきが生じない様に一方向(本実施例ではディスクの外周側走行方向)に付勢する第２付勢部(82)が形成されている。図２に示す如く、第２付勢部(82)とディスク外周側の支持片(54)内面の間隔Ｌ２は、ピックアップ(４)の取付け部(41)の取付け片(42)(43)の外面間の間隔Ｌ１よりも少し狭くなっている。第２付勢部(82)を外側に押し拡げて、ベース(40)の取付け部(41)を第２付勢部(82)とディスク外周側の支持片(54)との間に嵌めることにより、該ベース(40)の取付け片(43)は支持片(54)側に付勢され、該支持片(54)に常時接することになる。尚、第２付勢部(82)の付勢力は、ラック(５)がレール(21)を中心に回転するのに支障のない程度の強さである。
【００２８】
図５に示す如く、バネ部材(８)はバネ鋼線にて形成され、Ｖ字状屈曲部は、バネ鋼線を複数回同心に巻き重ねて環状の取付け部(83)を形成し、第２付勢部(82)側端部も複数回同心に巻き重ねて筒状部(84)を形成し、筒状部(84)の周端をＬ字状に取付け部(83)側に延長して第２付勢部(82)となしている。
バネ部材(８)の他端は、外側へ略Ｊ字状に折り返す様に屈曲して、ベース(40)への当り部(81a)を形成している。
【００２９】
図４に示す如く、バネ部材(８)は、環状取付け部(83)をラック(５)のバネ取付け部(51)上の円形ボス(55)に嵌め、筒状部(84)をラック(５)上の係止部(55)に嵌め込んで係止している。ラック(５)にはバネ部材(８)の直線部に被さる抜止め片(56)が複数箇所に設けられている。
図６に示す如く、バネ部材(８)の当り部(81a)は、ベース(40)に形成した受け部(46)に当接している。
【００３０】
図６及び図７に示す如く、シャーシ(１)上には、ピックアップ(４)による読み取り位置がディスクのＴＯＣ領域とバーコードエリアの中間位置に達したときにオンとなるべきスイッチ(74)と、ピックアップ(４)による読み取り位置がバーコードエリアに達したときに該ピックアップ(４)の更なる移動を制止するストッパー(61)とが配備されている。
【００３１】
スイッチ(74)は、ラック(５)に突設された押さえ片(54)によって作動片(75)が押し込まれることによりオンとなり、駆動装置(７)のモータ(71)への通電を遮断してピックアップ(４)の走行を停止させる。
ストッパー(61)は、ピックアップ(４)がディスクのバーコードエリアの読み取り位置に達した時点で、前記噛合解除機構(３)の動作を規制する噛合解除規制機構(６)を兼ねている。
【００３２】
即ち、ラック(５)のディスク内周側の端面には、ラック面(52)とは反対側に、ストッパー(61)が係合可能な切欠き(55)が凹設されており、該切欠き(55)のディスク内周側に向く内面がストッパー(61)に当たって、ラック(５)の移動が制止される。
図８及び図９に示す如く、ストッパー(61)が切欠き(55)に係合した状態で、切欠き(55)のラック面(52)とは反対側の面とストッパー(61)との間には、ラック(５)に接しない程度の僅かな隙間Ｓが存在するに過ぎない。従って、ピックアップ(４)がディスクのバーコードエリアに対する読み取り位置に達した時点でラック(５)に大きな力が作用したとしても、ストッパー(61)によって、ラック(５)のピニオン(73)から離間する方向の回転は阻止され、ラック(５)とピニオン(73)の噛み合いが外れることはない。
【００３３】
但し、ピックアップ(４)がコンテンツ信号記録領域からの信号読み取り位置にあるときに、プレーヤが落下する等により、ラック(５)に大きな衝撃が作用すれば、噛合解除機構(３)の動作によってラック(５)がレール(21)を中心に回転してラック(５)とピニオン(73)の噛合が解除される。この結果、ラック(５)とピニオン(73)の歯の損傷が防止される。
【００３４】
図１１は、ディスクのコンテンツ信号記録領域から信号の読み取りを行なうべき指令が発せられたときのピックアップ駆動装置(７)の制御を表わし、図１２は、ディスクのバーコードエリアから情報の読み取りを行なうべき指令が発せられたときのピックアップ駆動装置(７)の制御を表わしている。尚、図中において、「ＳＬＥＤ移動」はピックアップのディスク半径方向の移動を意味し、「ＳＬＥＤ電圧」はピックアップ駆動装置(７)に印加される電圧を意味している。
【００３５】
ディスクのコンテンツ信号記録領域から信号の読み取りを行なうべき指令が発せられたときは、図１１に示す如く、先ずピックアップ駆動装置にＳＬＥＤ電圧１を印加して、ピックアップをディスク内周側へ向けて移動させる。その後、スイッチがオンとなってピックアップによる読み取り位置がＴＯＣ領域とバーコードエリアの中間位置に達したことが検知されると、その時点から所定時間(ｔｉｍｅ２)だけ、ピックアップ駆動装置にＳＬＥＤ電圧３を印加して、ピックアップを逆方向(ディスク外周方向)に移動させた後、コンテンツ信号記録領域からの信号の読み取りに移行する。
【００３６】
これに対し、ディスクのバーコードエリアから情報の読み取りを行なうべき指令が発せられたときは、図１２に示す如く、先ずピックアップ駆動装置にＳＬＥＤ電圧１を印加して、ピックアップをディスク内周側へ移動させる。その後、スイッチがオンとなってピックアップによる読み取り位置がＴＯＣ領域とバーコードエリアの中間位置に達したことが検知されると、その時点でピックアップ駆動装置に対する駆動電圧をＳＬＥＤ電圧２に低下させ、該電圧を一定時間(ｔｉｍｅ１)だけ維持して、ピックアップを更に同じ方向(ディスク内周方向)に移動させる。これによって、ピックアップはディスクのバーコードエリアとの対向位置に達すると同時に、ピックアップの更なる移動が前記ストッパーによって制止されることになる。この結果、ピックアップによってバーコードエリアからバーコードが読み取られる。
尚、条件によってはＳＬＥＤ電圧２をＳＬＥＤ電圧１と同電圧に設定することも可能である。
【００３７】
図１０は、ディスクの参照情報記録領域から情報の読み取りを行なうべき指令が発せられたときの制御手続きを表わしている。
先ずステップＳ１にてＳＬＥＤ電圧１を設定し、該電圧をピックアップ駆動装置に印加する。次にステップＳ２にてスイッチがオンとなったかどうかを判断し、イエスと判断されたとき、ステップＳ３に移行する。
ステップＳ３では、ＳＬＥＤ電圧２を設定し、該電圧をピックアップ駆動装置に印加する。続いてステップＳ４にてタイマーをスタートさせた後、ステップＳ５にて時間ｔｉｍｅ１が経過したかどうかを判断し、イエスと判断されたとき、ステップＳ６に移行して、ＳＬＥＤ電圧の印加を終了する。
【００３８】
上述の制御手続きの実行によって、ピックアップは、ディスクのコンテンツ信号記録領域との対向位置からディスク内周側へ向かって比較的早い速度で移動し、ＴＯＣ領域とバーコードエリアとの中間位置に達する。
その後、ピックアップは、更にディスク内周側へ向かって比較的遅い速度で移動し、バーコードエリアとの対向位置に達することになる。このとき、ラック(５)がストッパー(61)に衝突することになるが、上述の如く移動速度が低下しているので、大きな衝撃力は発生せず、ラック(５)の歯面に作用する応力は低下する。この結果、ピックアップ駆動装置(７)の長寿命化が図られる。
【００３９】
上述の如く、本発明に係るディスクプレーヤにおいては、ピックアップ(４)がディスクのバーコードエリアとの対向位置にあるとき、噛合解除規制機構(６)の動作によってラック(５)とピニオン(73)の噛み合いが容易に外れることはないので、従来の如く、ピックアップ(４)が慣性によってストッパーに衝突したときの反動でラックとピニオンの噛み合いが外れて歯飛びが発生し、これに伴って騒音が発生する問題は生じない。
【００４０】
又、ピックアップがバーコードエリアとの対向位置にあるとき、プレーヤが落下する等によって過大な衝撃力が発生した場合は、ラック(５)の自由な回転は阻止されているが、ラック(５)のストッパー(61)による係止部とピニオン(73)との噛合部との距離が大きくなっているので、ラック(５)がストッパー(61)による係止部を固定端としてねじれ方向に弾性変形し、この結果、ラック(５)とピニオン(73)の噛合が解除されるので、歯の損傷が防止される。
【００４１】
又、噛合解除機構(３)が動作するときのラック(５)とピニオン(73)の噛み合い力を適度に高く設定すれば、ピックアップ(４)をバーコードエリアとの対向位置へ移動させる際のピックアップ駆動装置(７)の駆動電圧をある程度高い値に設定したとしても、ラック(５)とピニオン(73)の歯飛びを防止することが出来る。従って、ピックアップ駆動装置(７)に印加すべき駆動電圧の幅に余裕を持たせることが可能となる。
【図面の簡単な説明】
【００４２】
【図１】本発明に係るディスクプレーヤのピックアップ駆動系を示す斜面図である。
【図２】ピックアップとラックの分解斜面図である。
【図３】ピックアップとラックの組立状態を示す斜面図である。
【図４】ラックにバネ部材を組込んだ状態の斜面図である。
【図５】バネ部材の斜面図である。
【図６】ピックアップ駆動系の底面図である。
【図７】該ピックアップ駆動系を底面側から見た斜面図である。
【図８】ピックアップがディスク内周側の移動端に達した状態でのピックアップ駆動系の底面図である。
【図９】該ピックアップ駆動系を底面側から見た斜視図である。
【図１０】ピックアップ駆動装置の制御手続きを示すフローチャートである。
【図１１】コンテンツ信号読み取り時のピックアップ駆動装置の制御を説明するタイムチャートである。
【図１２】バーコードエリア読み取り時のピックアップ駆動装置の制御を説明するタイムチャートである。
【図１３】従来のディスクプレーヤにおけるピックアップ駆動系の平面図である。
【図１４】ディスク信号面に設けられている複数の記録領域を示す平面図である。
【符号の説明】
【００４３】
(１)  シャーシ
(２)  案内部材
(３)  噛合解除機構
(４)  ピックアップ
(５)  ラック
(６)   噛合解除規制機構
(61)  ストッパー
(７)   ピックアップ駆動装置
(73)  ピニオン
(８)  バネ部材
【図１】
2005174453.tif 000003
【図２】
2005174453.tif 000004
【図３】
2005174453.tif 000005
【図４】
2005174453.tif 000006
【図５】
2005174453.tif 000007
【図６】
2005174453.tif 000008
【図７】
2005174453.tif 000009
【図８】
2005174453.tif 000010
【図９】
2005174453.tif 000011
【図１０】
2005174453.tif 000012
【図１１】
2005174453.tif 000013
【図１２】
2005174453.tif 000014
【図１３】
2005174453.tif 000015
【図１４】
2005174453.tif 000016